(57)【要約】【課題】コストの増加を抑制しながらも、音の伝播を効果的に抑制することが可能な建物の防音構造、及びそれを具備する建物を提供する。【解決手段】下階側に配置された下階側階段６１、上階側に配置された上階側階段６３、及び下階側階段６１と上階側階段６３との間に形成された踊り場６２を有する階段６０と、下階側階段６１の蹴上げ部に設けられた下階側階段吸音材８０と、上階側階段６３の蹴上げ部に設けられた上階側階段吸音材９０と、を具備し、下階側階段吸音材８０は、下階側階段６１の最下段である下階側第一階段６１Ｄ、及び、下階側階段６１の最上段である下階側第二階段６１Ｕにそれぞれ設けられ、上階側階段吸音材９０は、上階側階段６３の最下段である上階側第一階段６３Ｄ、及び、上階側階段６３の最上段である上階側第二階段６３Ｕにそれぞれ設けられている。【選択図】図２
2017227048.tif 000002
【特許請求の範囲】
【請求項１】
下階側に配置された下階側階段、上階側に配置された上階側階段、及び前記下階側階段と前記上階側階段との間に形成された踊り場を有する階段と、
前記下階側階段の蹴上げ部に設けられた第一の吸音材と、
前記上階側階段の蹴上げ部に設けられた第二の吸音材と、
を具備し、
前記第一の吸音材は、
前記下階側階段の最下段を含む少なくとも１つの段である下階側第一階段、及び、前記下階側第一階段との間に少なくとも１つの段を挟んで配置され、前記下階側階段の最上段を含む少なくとも１つの段である下階側第二階段にそれぞれ設けられ、
前記第二の吸音材は、
前記上階側階段の最下段を含む少なくとも１つの段である上階側第一階段、及び、前記上階側第一階段との間に少なくとも１つの段を挟んで配置され、前記上階側階段の最上段を含む少なくとも１つの段である上階側第二階段にそれぞれ設けられている、
建物の防音構造。
【請求項２】
前記第一の吸音材は、
前記下階側階段の最下段及び最上段にのみ設けられ、
前記第二の吸音材は、
前記上階側階段の最下段及び最上段にのみ設けられている、
請求項１に記載の建物の防音構造。
【請求項３】
前記階段の上方には天井が備えられており、前記天井に設けられた第三の吸音材をさらに具備する、
請求項１又は請求項２に記載の建物の防音構造。
【請求項４】
前記第三の吸音材は、
少なくとも一部が、前記上階側階段の最上段の蹴上げ部の鉛直上方に位置するように配置されている、
請求項３に記載の建物の防音構造。
【請求項５】
請求項１から請求項４までのいずれか一項に記載の建物の防音構造を具備する建物。
【発明の詳細な説明】
【技術分野】
【０００１】
本発明は、下階と上階との間での防音性の向上を図る建物の防音構造、及びそれを具備する建物の技術に関する。
【背景技術】
【０００２】
従来、下階と上階との間での防音性の向上を図る建物の防音構造の技術は公知となっている。例えば、特許文献１に記載の如くである。
【０００３】
特許文献１には、階段ユニットに設けられる吸音構造が開示されている。具体的には、引用文献１には、階段の蹴込み板にスリットを設けると共に、内部空間（踏板及び蹴込み板の下方）に吸音材を配置する構成が例示されている。これによって、下階と上階との間での音の伝搬の抑制を図っている。
【０００４】
しかしながら、特許文献１に記載の技術では、音が発生する空間（１階スペース等）と吸音材が配置された空間（内部空間）は階段ユニットの踏板等によって区画されている。このため当該技術では、吸音材による音の吸収の効率が悪くなり、音の伝搬を抑制することが困難である点で不利であった。また、音の吸収の効率を上げるためには吸音材の量を増やす等する必要があり、コストが増加するおそれがある点で不利であった。
【先行技術文献】
【特許文献】
【０００５】
【特許文献１】特許第５２２５６３８号公報
【発明の概要】
【発明が解決しようとする課題】
【０００６】
本発明は以上の如き状況に鑑みてなされたものであり、その解決しようとする課題は、コストの増加を抑制しながらも、音の伝播を効果的に抑制することが可能な建物の防音構造、及びそれを具備する建物を提供することである。
【課題を解決するための手段】
【０００７】
本発明の解決しようとする課題は以上の如くであり、次にこの課題を解決するための手段を説明する。
【０００８】
即ち、請求項１においては、下階側に配置された下階側階段、上階側に配置された上階側階段、及び前記下階側階段と前記上階側階段との間に形成された踊り場を有する階段と、前記下階側階段の蹴上げ部に設けられた第一の吸音材と、前記上階側階段の蹴上げ部に設けられた第二の吸音材と、を具備し、前記第一の吸音材は、前記下階側階段の最下段を含む少なくとも１つの段である下階側第一階段、及び、前記下階側第一階段との間に少なくとも１つの段を挟んで配置され、前記下階側階段の最上段を含む少なくとも１つの段である下階側第二階段にそれぞれ設けられ、前記第二の吸音材は、前記上階側階段の最下段を含む少なくとも１つの段である上階側第一階段、及び、前記上階側第一階段との間に少なくとも１つの段を挟んで配置され、前記上階側階段の最上段を含む少なくとも１つの段である上階側第二階段にそれぞれ設けられているものである。
【０００９】
請求項２においては、前記第一の吸音材は、前記下階側階段の最下段及び最上段にのみ設けられ、前記第二の吸音材は、前記上階側階段の最下段及び最上段にのみ設けられているものである。
【００１０】
請求項３においては、前記階段の上方には天井が備えられており、前記天井に設けられた第三の吸音材をさらに具備したものである。
【００１１】
請求項４においては、前記第二の吸音材は、少なくとも一部が、前記上部階段の最上段の蹴上げ部の鉛直上方に位置するように配置されているものである。
【００１２】
請求項５においては、請求項１から請求項４までのいずれか一項に記載の建物の防音構造を具備するものである。
【発明の効果】
【００１３】
本発明の効果として、以下に示すような効果を奏する。
【００１４】
請求項１においては、コストの増加を抑制しながらも、音の伝播を効果的に抑制することができる。
【００１５】
請求項２においては、コストの増加をより効果的に抑制することができる。
【００１６】
請求項３においては、音の伝搬をより効果的に抑制することができる。
【００１７】
請求項４においては、音の伝搬をより効果的に抑制することができる。
【００１８】
請求項５においては、コストの増加を抑制しながらも、音の伝播を効果的に抑制することができる。
【図面の簡単な説明】
【００１９】
【図１】（ａ）住宅の１階部分を示す平面概略図。（ｂ）住宅の２階部分を示す平面概略図。
【図２】防音構造を示す側面断面模式図。
【図３】１階部分で音が発生した様子を示す側面断面模式図。
【図４】２階部分で音が発生した様子を示す側面断面模式図。
【発明を実施するための形態】
【００２０】
以下では、図中の矢印に基づいて、前後方向、左右方向及び上下方向を定義して説明を行う。
【００２１】
まず、図１及び図２を用いて、本発明の一実施形態に係る防音構造が適用される住宅１の概略構成について説明する。
【００２２】
本実施形態に係る住宅１は、２階建ての戸建住宅である。住宅１の１階部分には、玄関１０、リビング２０、その他図示せぬ部屋（キッチン等）等が設けられる。住宅１の２階部分には、廊下３０、図示せぬ部屋（子供部屋、寝室等）等が設けられる。住宅１の左側には、１階部分の床部（１階床部４０）と２階部分の床部（２階床部５０）とを接続するように階段６０が設けられる。階段６０は、リビング２０と隣接するように（又はリビング２０内に）設けられた、いわゆるリビング階段である。住宅１には、天井７０が形成されている。
【００２３】
次に、本実施形態に係る防音構造の具体的な構成について説明する。
【００２４】
本実施形態に係る防音構造は、住宅１の１階部分と２階部分との間での防音性の向上を図るものである。本実施形態に係る防音構造は、主として階段６０、下階側階段吸音材８０、上階側階段吸音材９０及び天井吸音材１００を具備する。
【００２５】
階段６０は、前述の如く住宅１の１階部分の床部（１階床部４０）と２階部分の床部（２階床部５０）とを接続するものである。階段６０は、主として下階側階段６１、踊り場６２及び上階側階段６３を具備する。
【００２６】
下階側階段６１は、階段６０のうち下部を形成するものである。下階側階段６１は、踏み板６１ａ及び蹴込み板６１ｂを有する複数の段によって形成される。下階側階段６１は、一階床部４０から左方に向かって延びるように形成される。下階側階段６１の右端（下端）は、１階床部４０に接続される。
【００２７】
下階側階段６１のうち、一部の段（階段）には、後述するように下階側階段吸音材８０が設けられる。以下では、下階側階段６１のうち、下階側階段吸音材８０が設けられる対象となる段（階段）を、下階側第一階段６１Ｄ及び下階側第二階段６１Ｕと称する。
【００２８】
下階側第一階段６１Ｄは、下階側階段６１のうち、当該下階側階段６１の最下段を含む少なくとも１つの段（階段）である。言い換えると、下階側第一階段６１Ｄは、下階側階段６１の最下段から上側に向かって連続する１又は複数の段である。本実施形態においては、下階側第一階段６１Ｄは、１つの段であるものとする。すなわち、本実施形態に係る下階側第一階段６１Ｄは、下階側階段６１の最下段のみである。
【００２９】
下階側第二階段６１Ｕは、下階側階段６１のうち、当該下階側階段６１の最上段を含む少なくとも１つの段（階段）である。言い換えると、下階側第二階段６１Ｕは、下階側階段６１の最上段から下側に向かって連続する１又は複数の段である。本実施形態においては、下階側第二階段６１Ｕは、１つの段であるものとする。すなわち、本実施形態に係る下階側第二階段６１Ｕは、下階側階段６１の最上段のみである。下階側第二階段６１Ｕは、下階側第一階段６１Ｄとの間に少なくとも１つの段を挟んで配置される。図２においては、下階側第二階段６１Ｕは、下階側第一階段６１Ｄとの間に３つの段を挟んで配置された例を示している。
【００３０】
踊り場６２は、階段６０の上下中途部に形成される。踊り場６２は、下階側階段６１の左方に配置され、当該下階側階段６１の左端（上端）及び後述する上階側階段６３の左端（下端）とそれぞれ接続される。
【００３１】
上階側階段６３は、階段６０のうち上部を形成するものである。上階側階段６３は、踏み板６３ａ及び蹴込み板６３ｂを有する複数の段によって形成される。上階側階段６３は、下階側階段６１の前側において、当該下階側階段６１と隣接するように配置される。上階側階段６３は、踊り場６２から右方に向かって延びるように形成される。上階側階段６３の右端（上端）は、２階床部５０に接続される。
【００３２】
上階側階段６３のうち、一部の段（階段）には、後述するように上階側階段吸音材９０が設けられる。以下では、上階側階段６３のうち、上階側階段吸音材９０が設けられる対象となる段（階段）を、上階側第一階段６３Ｄ及び上階側第二階段６３Ｕと称する。
【００３３】
上階側第一階段６３Ｄは、上階側階段６３のうち、当該上階側階段６３の最下段を含む少なくとも１つの段（階段）である。言い換えると、上階側第一階段６３Ｄは、上階側階段６３の最下段から上側に向かって連続する１又は複数の段である。本実施形態においては、上階側第一階段６３Ｄは、１つの段であるものとする。すなわち、本実施形態に係る上階側第一階段６３Ｄは、上階側階段６３の最下段のみである。
【００３４】
上階側第二階段６３Ｕは、上階側階段６３のうち、当該上階側階段６３の最上段を含む少なくとも１つの段（階段）である。言い換えると、上階側第二階段６３Ｕは、上階側階段６３の最上段から下側に向かって連続する１又は複数の段である。本実施形態においては、上階側第二階段６３Ｕは、１つの段であるものとする。すなわち、本実施形態に係る上階側第二階段６３Ｕは、上階側階段６３の最上段のみである。上階側第二階段６３Ｕは、上階側第一階段６３Ｄとの間に少なくとも１つの段を挟んで配置される。図２においては、上階側第二階段６３Ｕは、上階側第一階段６３Ｄとの間に３つの段を挟んで配置された例を示している。
【００３５】
以上のように、本実施形態に係る階段６０は、平面視において踊り場６２で１８０度向きを変える折り返し階段である。
【００３６】
図２に示す下階側階段吸音材８０は、下階側階段６１に設けられる吸音材である。下階側階段吸音材８０は、グラスウール、ロックウール、フェルト等の、適宜の材料を用いて形成される。下階側階段吸音材８０は、所定の厚みを有する矩形板状に形成される。より詳細には、下階側階段吸音材８０は、下階側階段６１の蹴込み板６１ｂの表面形状と略同一形状に形成される。下階側階段吸音材８０は、下階側階段６１のうち、下階側第一階段６１Ｄ及び下階側第二階段６１Ｕ（最下段及び最上段）の蹴上げ部に設けられる。
【００３７】
ここで、本実施形態において蹴上げ部とは、ある踏み板と、当該踏み板と隣り合う他の踏み板と、の間（より詳細には、下側の踏み板の蹴込み部分と、上側の踏み板の段鼻と、の間）の部分を意味している。なお、階段の最上段又は最下段については、蹴上げ部とは、ある踏み板と、当該踏み板と隣り合う床部（又は踊り場）と、の間の部分を意味している。
【００３８】
本実施形態においては、下階側階段６１の蹴上げ部には蹴込み板６１ｂが設けられている。下階側階段吸音材８０は、下階側階段６１のうち、下階側第一階段６１Ｄ及び下階側第二階段６１Ｕ（最下段及び最上段）の蹴込み板６１ｂの表面を覆うようにして、当該蹴込み板６１ｂに固定されている。このようにして、下階側階段吸音材８０は、下階側階段６１のうち、下階側第一階段６１Ｄ及び下階側第二階段６１Ｕの蹴上げ部に設けられている。このように、下階側階段吸音材８０は、蹴込み板６１ｂに固定することで容易に取り付けることができるため、蹴込み板を有する既存（既設）の階段に対して特に効果的である（設置し易い）。これは、後述する上階側階段吸音材９０についても同様である。
【００３９】
なお、以下では、説明の便宜上、下階側階段６１の最下段に設けられた下階側階段吸音材８０を下階側第一吸音材８１、下階側階段６１の最上段に設けられた下階側階段吸音材８０を下階側第二吸音材８２と、それぞれ称する。
【００４０】
上階側階段吸音材９０は、上階側階段６３に設けられる吸音材である。上階側階段吸音材９０は、グラスウール、ロックウール、フェルト等の、適宜の材料を用いて形成される。上階側階段吸音材９０は、所定の厚みを有する矩形板状に形成される。より詳細には、上階側階段吸音材９０は、上階側階段６３の蹴込み板６３ｂの表面形状と略同一形状に形成される。上階側階段吸音材９０は、上階側階段６３のうち、上階側第一階段６３Ｄ及び上階側第二階段６３Ｕ（最下段及び最上段）の蹴上げ部に設けられる。
【００４１】
本実施形態においては、上階側階段６３の蹴上げ部には蹴込み板６３ｂが設けられている。上階側階段吸音材９０は、上階側階段６３のうち、上階側第一階段６３Ｄ及び上階側第二階段６３Ｕ（最下段及び最上段）の蹴込み板６３ｂの表面を覆うようにして、当該蹴込み板６３ｂに固定されている。このようにして、上階側階段吸音材９０は、上階側階段６３のうち、上階側第一階段６３Ｄ及び上階側第二階段６３Ｕの蹴上げ部に設けられている。
【００４２】
なお、以下では、説明の便宜上、上階側階段６３の最下段に設けられた上階側階段吸音材９０を上階側第一吸音材９１、上階側階段６３の最上段に設けられた上階側階段吸音材９０を上階側第二吸音材９２と、それぞれ称する。
【００４３】
天井吸音材１００は、天井７０に設けられる吸音材である。天井吸音材１００は、グラスウール、ロックウール、フェルト等の、適宜の材料を用いて形成される。天井吸音材１００は、天井７０のうち、階段６０の上方に位置する部分に設けられる。天井吸音材１００は、所定の厚みを有する矩形板状に形成される。天井吸音材１００は、平面視において階段６０と略同一の前後幅を有するように形成される（図１参照）。天井吸音材１００は、左右方向において、右端部が上階側階段６３の最上段の蹴上げ部（当該蹴上げ部に設けられた上階側第二吸音材９２）の鉛直上方に位置するように配置される。
【００４４】
以下では、図３及び図４を用いて、上述の如く構成された防音構造による防音の様子について説明する。
【００４５】
まず、図３を用いて、住宅１の１階部分で音が発生した場合について説明する。
【００４６】
住宅１の１階部分（例えば、リビング２０等）で発生した音は、まず下階側階段６１に設けられた下階側第一吸音材８１によって吸収される。このように、階段６０（下階側階段６１）のうち、最も１階部分に近い位置（最も１階部分に近い蹴上げ部）に設けられた下階側第一吸音材８１によって、１階部分で発生した音を効果的に吸収することができる。
【００４７】
また下階側階段６１の上方を踊り場６２に向かって通過しようとする音は、当該下階側階段６１に設けられた下階側第二吸音材８２によって吸収される。このように、下階側階段６１の上方を通過することで自然に減衰した音を、さらに下階側第二吸音材８２によって吸収することで、２階部分への音の伝搬を効果的に抑制することができる。
【００４８】
また下階側階段６１を通過して踊り場６２へと到達し、当該踊り場６２（より詳細には、踊り場６２の側壁等）で反射した音は、上階側階段６３に設けられた上階側第一吸音材９１によって吸収される。
【００４９】
また上階側階段６３の上方を２階部分に向かって通過しようとする音は、当該上階側階段６３に設けられた上階側第二吸音材９２及び天井７０に設けられた天井吸音材１００によって吸収される。ここで、本実施形態においては、天井吸音材１００と上階側第二吸音材９２との間隔が極力狭くなるように、前述の如く天井吸音材１００の右端部が上階側第二吸音材９２の鉛直上方に配置されている。このように、天井吸音材１００と上階側第二吸音材９２との間隔を狭くすることで、上階側階段６３を通過して２階部分へ音が伝搬するのを効果的に抑制することができる。
【００５０】
なお、本実施形態においては、下階側階段吸音材８０は、下階側階段６１のうち、下階側第一階段６１Ｄ及び下階側第二階段６１Ｕ（最下段及び最上段）の蹴上げ部にのみ設けられるものとした。また上階側階段吸音材９０も、上階側階段６３のうち、上階側第一階段６３Ｄ及び上階側第二階段６３Ｕ（最下段及び最上段）の蹴上げ部にのみ設けられるものとした。このように、下階側階段６１及び上階側階段６３の中途部（最下段及び最上段を除く部分）に吸音材を設けないようにすることで、当該吸音材による空間（階段６０が設けられる階段室）の圧迫感を抑制することができる。
【００５１】
また、下階側階段吸音材８０及び上階側階段吸音材９０は、階段６０の表面（１階のリビング２０や２階の廊下３０と連続した空間）に配置されているため、当該リビング２０等で発生した音を効果的に吸収することができる。これによって、当該下階側階段吸音材８０等の量を抑えることができ、ひいてはコストの増加を抑制することができる。
【００５２】
また、このように下階側階段６１及び上階側階段６３の中途部に吸音材を設けなくとも、当該下階側階段６１及び上階側階段６３の両端部近傍（最下段及び最上段の蹴上げ部）で音を吸収することで、音の伝搬を効果的に抑制することができる。
【００５３】
下階側階段６１を例に挙げて説明すると、１階部分で発生した音は、下階側階段６１へと伝搬してきたところで下階側第一吸音材８１によって吸収されると共に、当該下階側階段６１を通過して踊り場６２へと抜けようとする際に下階側第二吸音材８２によって吸収される。このように、下階側階段６１へと入ってくる音と、当該下階側階段６１から出て行こうとする音をそれぞれ吸収することで、音の伝播を効果的に抑制することができる。
【００５４】
次に、図４を用いて、住宅１の２階部分で音が発生した場合について説明する。
【００５５】
住宅１の２階部分（例えば、子供部屋等）で発生した音は、まず上階側階段６３に設けられた上階側第二吸音材９２及び天井吸音材１００によって吸収される。この際、天井吸音材１００と上階側第二吸音材９２との間隔は狭いため、上階側階段６３へ音が伝搬するのを効果的に抑制することができる。特に、音の発生源（２階部分）に近い位置で、当該天井吸音材１００及び上階側第二吸音材９２によって音の拡がりを抑制することができるため、音の伝搬を効果的に抑制することができる。
【００５６】
また上階側階段６３の上方を踊り場６２に向かって通過しようとする音は、当該上階側階段６３に設けられた上階側第一吸音材９１によって吸収される。
【００５７】
また上階側階段６３を通過して踊り場６２へと到達し、当該踊り場６２で反射した音は、上階側階段６３に設けられた上階側第一吸音材９１及び下階側階段６１に設けられた下階側第二吸音材８２によって吸収される。
【００５８】
また下階側階段６１の上方を１階部分に向かって通過しようとする音は、当該下階側階段６１に設けられた下階側第一吸音材８１によって吸収される。
【００５９】
このように、２階部分で音が発生した場合であっても、下階側階段吸音材８０、上階側階段吸音材９０及び天井吸音材１００によって音の伝搬を抑制することができる。
【００６０】
以上の如く、本実施形態に係る住宅１（建物）の防音構造は、
下階側に配置された下階側階段６１、上階側に配置された上階側階段６３、及び下階側階段６１と上階側階段６３との間に形成された踊り場６２を有する階段６０と、
下階側階段６１の蹴上げ部に設けられた下階側階段吸音材８０（第一の吸音材）と、
上階側階段６３の蹴上げ部に設けられた上階側階段吸音材９０（第二の吸音材）と、
を具備し、
下階側階段吸音材８０は、
下階側階段６１の最下段を含む少なくとも１つの段である下階側第一階段６１Ｄ、及び、下階側第一階段６１Ｄとの間に少なくとも１つの段を挟んで配置され、下階側階段６１の最上段を含む少なくとも１つの段である下階側第二階段６１Ｕにそれぞれ設けられ、
上階側階段吸音材９０は、
上階側階段６３の最下段を含む少なくとも１つの段である上階側第一階段６３Ｄ、及び、上階側第一階段６３Ｄとの間に少なくとも１つの段を挟んで配置され、上階側階段６３の最上段を含む少なくとも１つの段である上階側第二階段６３Ｕにそれぞれ設けられているものである。
【００６１】
このように構成することにより、コストの増加を抑制しながらも、音の伝播を効果的に抑制することができる。また、吸音材の設置数を減らすことができる（下階側階段６１及び上階側階段６３の中途部に吸音材を設ける必要がない）ため、意匠性（美観）の悪化を抑制することができると共に、吸音材による圧迫感を抑制することができる。
【００６２】
また、下階側階段吸音材８０は、
下階側階段６１の最下段及び最上段にのみ設けられ、
上階側階段吸音材９０は、
上階側階段６３の最下段及び最上段にのみ設けられているものである。
【００６３】
このように構成することにより、コストの増加をより効果的に抑制することができる。
【００６４】
また、本実施形態に係る住宅１（建物）の防音構造は、
階段６０の上方には天井７０が備えられており、天井７０に設けられた天井吸音材１００（第三の吸音材）をさらに具備するものである。
【００６５】
このように構成することにより、音の伝搬をより効果的に抑制することができる。
【００６６】
また、天井吸音材１００は、
少なくとも一部が、上階側階段６３の最上段の蹴上げ部の鉛直上方に位置するように配置されているものである。
【００６７】
このように構成することにより、音の伝搬をより効果的に抑制することができる。
【００６８】
また、住宅１は、本実施形態に係る防音構造を具備するものである。
【００６９】
このように構成することにより、コストの増加を抑制しながらも、音の伝播を効果的に抑制することができる。
【００７０】
なお、住宅１は、本発明に係る建物の実施の一形態である。
また、住宅１の１階及び２階は、それぞれ本発明に係る建物の下階及び上階の実施の一形態である。
また、下階側階段吸音材８０は、本発明に係る第一の吸音材の実施の一形態である。
また、上階側階段吸音材９０は、本発明に係る第二の吸音材の実施の一形態である。
また、天井吸音材１００は、本発明に係る第三の吸音材の実施の一形態である。
【００７１】
以上、本発明の実施形態を説明したが、本発明は上記構成に限定されるものではなく、特許請求の範囲に記載された発明の範囲内で種々の変更が可能である。
【００７２】
例えば、本実施形態においては、２階建ての住宅１に防音構造を適用した例を示したが、３階建て以上の住宅に適用することも可能である。また、本実施形態においては住宅１に防音構造を適用した例を示したが、本発明はこれに限らず、種々の建物（例えば、オフィスビル、商業施設等）に適用することも可能である。
【００７３】
また、本実施形態においては、下階側階段吸音材８０が設けられる下階側第一階段６１Ｄ及び下階側第二階段６１Ｕを、それぞれ１つの段（下階側階段６１の最下段及び最上段）に設定した例を示したが、本発明はこれに限るものではない。すなわち、下階側第一階段６１Ｄ及び下階側第二階段６１Ｕを、それぞれ複数の段に設定することも可能である。このように、下階側階段吸音材８０が設けられる段は、圧迫感、防音性、コスト等を考慮して任意に設定することが可能である。なお、上階側階段吸音材９０が設けられる上階側第一階段６３Ｄ及び上階側第二階段６３Ｕについても同様である。
【００７４】
また、本実施形態においては、天井吸音材１００の右端部が上階側第二吸音材９２の鉛直上方に配置されるものとしたが、天井吸音材１００の位置は任意に変更することができる。但し、上階側第二吸音材９２との間隔を極力狭くする観点から、天井吸音材１００の少なくとも一部が、上階側第二吸音材９２の鉛直上方に位置するように配置することが望ましい。
【００７５】
また、本実施形態においては、折り返し階段（階段６０）を例示したが、踊り場を有するその他の階段であってもよい。例えば、かね折れ階段（平面視において踊り場で９０度向きを変える階段）や、踊り場を有する直階段（平面視において向きを変えない直線状の階段）等であってもよい。
【００７６】
また、本実施形態に係る階段６０は、蹴上げ部に蹴込み板６１ｂ及び蹴込み板６３ｂが設けられているものとしたが、本発明はこれに限るものではなく、蹴込み板６１ｂ等を設けず、蹴上げ部（蹴込み）が塞がれていない階段であってもよい。この場合、下階側階段吸音材８０等は、蹴込み板６１ｂ等に固定できないため、その他適宜の方法で蹴上げ部に固定される。
【００７７】
また、本実施形態に係る階段６０は、蹴込み板６１ｂに下階側階段吸音材８０を固定するものとしたが、本発明はこれに限るものではなく、蹴込み板６１ｂ自体を下階側階段吸音材８０とすることも可能である。例えば、下階側階段吸音材８０を板状（ボード状）に形成し、蹴込み板６１ｂとして階段６０に設けることができる。このような構成（蹴込み板６１ｂ自体を下階側階段吸音材８０とする構成）は、新築の建物に対して特に効果的である（設置し易い）。
【００７８】
また、本発明に係る防音構造は、側方に壁がない階段に適用することも可能である。また、本発明に係る防音構造は、本実施形態に係る階段６０のようなリビング階段だけでなく、その他種々の階段に適用することも可能である。
【００７９】
また、内装材の下地部分に吸音材を配置する（室内から直接視認できなくする）ことで、より圧迫感を抑制することができる。
【符号の説明】
【００８０】
１      住宅
６０    階段
７０    天井
８０    下階側階段吸音材
８１    下階側第一吸音材
８２    下階側第二吸音材
９０    上階側階段吸音材
９１    上階側第一吸音材
９２    上階側第二吸音材
１００  天井吸音材
【図１】
2017227048.tif 000003
【図２】
2017227048.tif 000004
【図３】
2017227048.tif 000005
【図４】
2017227048.tif 000006